(57)【要約】      （修正有）【課題】  通信用、電力用等の各種ケーブルをケーブル架設用コイルと共に、伸長具を以って簡単に架設作業をする。【解決手段】  伸長具本体１は、先端の排出部に円形状の長い直線整形部２を設け、後端には、該ケーブル架設用コイル１０を保持する該直線整形部の円形より大径とした筒状体部３を形成する。該筒状体部には、連接部分に急傾斜の内壁部５を形成する。ケーブル架設用コイルのピッチと直径を均一にして、引き出せる。また、該伸長具本体の長手方向に直線状の切除溝部を形成し、且つ該伸長具本体の長手方向に向って２つに開放できる分割線を形成して、作業性を良くした。【選択図】  図３
2006034080.tif 000002
【特許請求の範囲】
【請求項１】
伸長具本体の内部に螺旋状のケーブル架設用コイルとメッセンジャーワイヤー及びケーブルとを保持するケーブル架設用コイルの伸長具において、前記伸長具本体は、先端の排出部側に内径が円形状の長い直線整形部を形成し、後端には、該ケーブル架設用コイルを保持する該直線整形部の円形より大径とした筒状体部を形成し、且つ該直線整形部と該筒状体部との連接部分には、急傾斜の内壁部を形成したことを特徴とするケーブル架設用コイルの伸長具。
【請求項２】
請求項１の伸長具本体における直線整形部と筒状体部との両方の長手方向に直線状の切除溝部を穿設したことを特徴とする請求項１のケーブル架設用コイルの伸長具。
【請求項３】
請求項１の伸長具本体の直線整形部と筒状体部との両者の長手方向に向って２つに開放できる分割線を形成することを特徴とする請求項１のケーブル架設用コイルの伸長具。
【発明の詳細な説明】
【技術分野】
【０００１】  本発明は、各種類の通信用ケーブル及び電力用ケーブル等の各種ケーブルの架設時に使用される螺旋状に構成されたケーブル架設用コイルをメッセンジャーワイヤーに沿って伸長させる伸長具であって、該伸長具によってメッセンジャーワイヤー及びケーブルの配設作業を容易とすると共に、ケーブル架設用コイルの直径及びピッチを連続的に確実に構成するケーブル架設用コイルの伸長具に関するものである。
【背景技術】
【０００２】  従来この種の通信用ケーブル及び送電力用ケーブル等の各種ケーブルを架設する場合は、各電柱間にメッセンジャーワイヤーを張って設置し、一方の電柱側に螺旋状に形成されたケーブル架設用コイルを固定して、該メッセンジャーワイヤーに巻き込みながらケーブルを他方の電柱側に向って引っ張るようになっているが、架設後のコイルの直径やピッチが不均一になる等の問題があった。【０００３】  また、前記の不具合を改善するため、ケーブル架設用の延伸装置を用いたものでは、徐々に狭められた吐出部によってケーブル架設用コイルの直径が一旦は小径となるが、吐出部から吐き出された時に、該コイルの直径が吐出部の口径より復元して大きくなり、所望する該コイルの直径が得られない欠点がある。したがって、電柱間に架設後のケーブル架設用コイルの直径やピッチが不安定になるものである。更に、筒状体部をメッセンジャーワイヤーに装着する時に、筒状体部を分割して使用するものでは手間が大変に係る欠点がある。（例えば、特開２０００−２７８８２９号公報参照）
【発明の開示】
【発明が解決しようとする課題】
【０００４】  従来の技術で述べたものでは、該コイルの直径を徐々に小径としても該コイルのバネの復元力によって、大径に復元すると云う問題点があった。
そこで、本発明のケーブル架設用コイルの伸長具によれば、急傾斜の内壁部によって強力に該コイルの直径を小径にすることによって、ケーブル架設用コイルの復元力が無くなり、その後該伸長具の直線整形部によって安定的な直径とピッチが得られるようにしたケーブル架設用コイルの伸長具を提供するものである。
【課題を解決するための手段】
【０００５】  上記目的を達成するために、本発明のケーブル架設用コイルの伸長具によれば、先端の排出部側に円形状の長い直線整形部を形成し、後端には、ケーブル架設用コイルを収納する該直線整形部の円形より大径とした筒状体部を形成してある。該直線整形部と該筒状体部との連接部分には、急傾斜の内壁部を設けたものである。
また、伸長具本体における直線整形部と筒状体部との長手方向に直線状の切除溝部を穿設したことを特徴としている。
更に、該伸長具本体の直線整形部と筒状体部との両者の長手方向に２つに開放できる分割線を形成したものである。
【発明の効果】
【０００６】  以上の様に本発明のケーブル架設用コイルの伸長具によれば、伸長具本体を直線整形部と筒状体部とによって長手方向に形成したので、従来の欠点である直径とピッチの不均一となるケーブル架設用コイルの各所の直径が均一になると共に、ピッチ部分も確実に均一に成形できる効果がある。そして、該直線整形部の円形より大径とした筒状体部との連接部を急傾斜した内壁部によって直径部分を急激に小さく絞るためケーブル架設用コイルは復元力が無くなり、全体の直径を維持できる効果がある。また、該直線整形部によっては、該ケーブル架設用コイルは、進行中と共に直径とピッチが安定して形成できる効果がある。
更に、伸長具本体に設けた直線整形部と筒状体部との長手方向に直線状の切除溝部を形成したことにより、メッセンジャーワイヤーとケーブルとを切除溝部より容易に挿入して装設が可能となる便利な効果がある。
また、該伸長具本体の直線整形部と筒状体部との両者の長手方向に向って２つに開放できるようにしたので、メッセンジャーワイヤーとケーブル架設用コイル及びケーブルとを各々容易に内部に収納取り付けることが出来る便利な効果もある。
【発明を実施するための最良の形態】
【０００７】  本発明の伸長具本体によってケーブルを張設する場合には、メッセンジャーワイヤーとケーブル及びケーブル架設用コイルを巻き付けるように外挿し、その後、伸長具本体の筒状体部の外周に設けた取付部に取り付けた引張ロープを牽引することによって、該ケーブル架設用コイルは、該筒状体部の内部に設けた急傾斜の内壁部によって該ケーブル架設用コイルの直径を急激に絞るために小さくなると同時に該ケーブル架設用コイルのピッチ（Ｐ）が所定の長さとなり、該直線整形部の内部進行中において安定した直径とピッチ（Ｐ）が得られるものである。
また、該直線整形部の長手方向の寸法は、該ケーブル架設用コイルの１ピッチより長くする方が良好である。
【実施例１】
【０００８】  次に本発明の実施例を図面について説明すると、図１、図２に示す伸長具本体（１）には、先端の排出部（６）側に円形状の長い直線整形部（２）を形成する。該直線整形部（２）と連接して後端に該直線整形部（２）の円形より大径とした筒状体部（３）を一体的に形成してある。該筒状体部（３）には、該直線整形部（２）との連接部に内壁部（５）を設けると共に、内部に円弧部（４）を形成してある。符号（７）は、該筒状体部（３）にケーブル架設用コイル（１０）を入れる挿入部を示したものである。また、該内壁部（５）の傾斜角度は、該筒状体部（３）に対して角度（Ａ）が６０度及至９０度程度の急傾斜が最良である。【０００９】  図３に示すものは、メッセンジャーワイヤー（１１）と、ケーブル（１２）とを螺旋状のケーブル架設用コイル（１０）で巻き込み、該ケーブル架設用コイル（１０）の外側に該伸長具本体（１）を被覆してある。
また、該伸長具本体（１）の該筒状体部（３）には外周の１ヶ所にブラケット等の取付部（１４）を設け、該取付部（１４）には、引張ロープ（１３）を接続してある。該引張ロープ（１３）には、ケーブル（１２）を巻き付けるように外巻きしてある。該引張ロープ（１３）の牽引によって該ケーブル架設用コイル（１０）は、内壁部（５）の部分で小径となるものである。
更に、該伸長具本体（１）の直線整形部（２）の入口において、該ケーブル架設用コイル（１０）は、所定の長さのピッチが形成されるものである。
次に、図４に示す実施例は、電柱（１６）、（１６）間に張設された、メッセンジャーワイヤー（１１）と、ケーブル（１２）と、螺旋状のケーブル架設用コイル（１０）との外周に伸長具本体（１）を被せ、伸長具本体（１）の外側に取り付けた引張ロープ（１３）を牽引しながらケーブル架設用コイル（１０）をメッセンジャーワイヤー（１１）とケーブル（１２）を巻きながら架設するものである。この時、ケーブル（１２）の先端は引張ロープ（１３）に巻着されている。
【実施例２】
【００１０】  また、図５に示す実施例は、該伸長具本体（１）における直線整形部（２）と筒状体部（３）との長手方向の直線に沿って連続的な切除溝部（８）を穿設して該メッセンジャーワイヤー（１１）と、該ケーブル（１２）を側方より容易に取り付けられるものである。
更に、図６に示すものは、該伸長具本体（１）の直線整形部（２）と筒状体部（３）との連接との内壁部（５）の部分の切除溝部（８）に蓋体（９）を嵌合し、該内壁部（５）に該切除溝部（８）が形成されている場合には、該ケーブル架設用コイル（１０）を小径とする際に不安定となるのを解消するものである。
また、図７の実施例においては、伸長具本体（１）の直線整形部（２）と筒状体部（３）との長手方向に向って分割線（１５）を設けて、該伸長具本体（１）をメッセンジャーワイヤー（１１）と、ケーブル（１２）及びケーブル架設用コイル（１０）との各々の外周に容易に被嵌できるようにしたものである。また、被嵌した該伸長具本体（１）には、外周に各種のベルト状のもので周結して固定するものである。符号（１７）は、地面を示すものである。
【図面の簡単な説明】
【００１１】
【図１】  本発明の伸長具本体の全体斜面図である。
【図２】  同じく本発明の縦断側面図である。
【図３】  本発明のケーブル架設用コイルを伸長具を使用してケーブルを敷設する一部欠除した断面図である。
【図４】  本発明の伸長具を使用してケーブル架設用コイルを伸長している一部欠除した全体側面図である。
【図５】  本発明の伸長具本体の長手方向に直線状の切除溝部を形成した斜面図である。
【図６】  同じく本発明の伸長具の切除溝部に蓋体を閉塞した斜面図である。
【図７】  本発明の伸長具に分割線を設けた斜面図である。
【図８】  本発明のケーブル架設用コイルの側面図である。
【図９】  本発明のケーブル架設用コイルの装着状態を示す一部欠除した側面図である。
【図１０】  本発明の図５に示すＡ−Ａ線の断面図である。
【図１１】  本発明の図５のＢ−Ｂ線の断面図である。
【符号の説明】
【００１２】  １        伸長具本体
２        直線整形部
３        筒状体部
４        円弧部
５        内壁部
６        排出部
７        挿入部
８        切除溝部
９        蓋体
１０        ケーブル架設用コイル
１１        メッセンジャーワイヤー
１２        ケーブル
１３        引張ロープ
１４        取付部
１５        分割線
１６        電柱
Ａ        角度
Ｐ        ピッチ
【図１】
2006034080.tif 000003
【図２】
2006034080.tif 000004
【図３】
2006034080.tif 000005
【図４】
2006034080.tif 000006
【図５】
2006034080.tif 000007
【図６】
2006034080.tif 000008
【図７】
2006034080.tif 000009
【図８】
2006034080.tif 000010
【図９】
2006034080.tif 000011
【図１０】
2006034080.tif 000012
【図１１】
2006034080.tif 000013